(57)【要約】【課題】  小型で操作性に優れた新規な定量止水装置を提供する。【解決手段】  水路と水路を開閉する弁体とを有する送水手段１と、弁体を電気的に開閉して送水手段１の他端部からの吐水または止水を制御する制御手段２と、送水手段１からの吐水量を計測する計測手段３と、制御手段２の作動を入力する操作手段４と、を有し、制御手段２は操作手段４からの入力または計測手段３から入力される吐水量に応じて弁体を開閉して送水手段１からの吐水または止水を制御する定量止水装置において、  制御手段２は、操作手段４の特定の一の操作Ｉが第一操作であると判定し特定の二の操作IIが第二操作であると判定する判定手段２１と、判定手段２１が第一操作と判定すれば送水手段１からの吐水または止水を制御する弁体制御手段２２と、判定手段２１が第二操作と判定すれば止水する目標吐水量の設定を行う設定制御手段２３と、を有する。【選択図】      図１
2006097415.tif 000002
【特許請求の範囲】
【請求項１】
一端部から供給された水を他端部へ送る水路と該水路を開閉する弁体とを有する送水手段と、該弁体を電気的に開閉して該送水手段の他端部からの吐水または止水を制御する制御手段と、該送水手段からの吐水量を計測する計測手段と、該制御手段の作動を入力する操作手段と、を有し、
該制御手段は該操作手段からの入力または該計測手段から入力される吐水量に応じて該弁体を開閉して該送水手段からの吐水または止水を制御する定量止水装置において、
前記制御手段は、前記操作手段の特定の一の操作が第一操作であると判定し特定の二の操作が第二操作であると判定する判定手段と、該判定手段が該第一操作と判定すれば前記送水手段からの吐水または止水を制御する弁体制御手段と、該判定手段が該第二操作と判定すれば止水する目標吐水量の設定を行う設定制御手段と、を有することを特徴とする定量止水装置。
【請求項２】
前記設定制御手段は、予め記憶された複数の既定値を記憶しそのうちの１つを前記操作手段からの入力により選択して目標吐水量として設定する既定量記憶設定部を有する請求項１記載の定量止水装置。
【請求項３】
前記設定制御手段は、前記操作手段からの入力により前記送水手段が吐水を開始してから再度の操作により止水されるまでの吐水量を前記計測手段で計測して得られた値を目標吐水量として記憶する任意量記憶設定部を有する請求項１または２記載の定量止水装置。
【請求項４】
前記操作手段は、押圧されて操作されるスイッチであり、
前記判定手段は、該スイッチの押圧時間が所定時間より短ければ第一操作であると判定し、所定時間より長ければ第二操作であると判定する請求項１記載の定量止水装置。
【請求項５】
前記操作手段は、前記目標吐水量を示す表示部を有する請求項１記載の定量止水装置。
【請求項６】
前記計測手段は吐水される水の水温を測定する温度測定部を有し、該水温は前記表示部に表示される請求項５記載の定量止水装置。
【請求項７】
前記計測手段は、吐水時の水流により回転する回転部をもち、該回転部の回転数に応じて吐水量を計測するとともに発電を行う発電機である請求項１記載の定量止水装置。
【請求項８】
さらに、前記発電機により発生した電力を蓄える二次電池手段を有する請求項７記載の定量止水装置。
【請求項９】
前記送水手段は、その弁体が、前記弁体制御手段により駆動を制御される電磁弁と該電磁弁の駆動により開閉される主弁とからなり、さらに、該主弁の開閉を機械的に手動で行う手動開閉部を有する請求項１記載の定量止水装置。
【請求項１０】
前記送水手段、前記制御手段、前記計測手段および前記操作手段は、同一のケースに配置されている請求項１記載の定量止水装置。
【請求項１１】
前記送水手段は、前記水路の一端部が上水の水と給湯器の温水とを導く混合栓に接続される請求項１記載の定量止水装置。
【発明の詳細な説明】
【技術分野】
【０００１】
本発明は、水栓の吐水および吐水の停止を行なう定量止水装置に関するものであり、特に、吐水量の設定および設定された吐水量での吐水の停止を行う定量止水装置に関する。
【背景技術】
【０００２】
浴室や洗面所などに設置されている水栓には、様々な種類がある。一例として、図６にサーモスタットを内蔵する混合栓を示す。この混合栓９は、室内側の壁面に取り付けられ室外の給湯器からの湯と上水からの水とが流入する水栓本体９１と、水栓本体９１より湯と水との混合水を吐水する吐水管部９２と、からなる。水栓本体９１の一端面には、温度を調整する温調ハンドル９４が設けられ、この温調ハンドル９４を回転させることで、吐水される混合水の湯温の温度を設定できる。水栓本体９１の他端面には、切替ハンドル９５が設けられ、吐水管部９２からの吐水および止水を行う。また、水栓本体９１の後方には、給湯配管を介して給湯器などに接続され給湯器から吐出される高温の湯が流入する温水流路９７と、給水配管を介して上水（水道管）に接続され常温の水が流入する常温水流路９８と、が備えられている。
【０００３】
そして、従来より、浴槽、洗面器などに自動的にお湯張りを行なう装置として、たとえば、機械的に吐水を停止する機能や、制御装置を用いたお湯張り機能を備えた水栓が知られている。たとえば、特許文献１には、浴槽などへのお湯張りが自動的にできる自動水栓装置が開示されている。特許文献１に記載の自動水栓装置は、壁面に取り付けられた水栓本体の上方に操作パネルが設けられている。操作パネルの設定スイッチを押して目標とするお湯張り量を設定し、その後、お湯張りスイッチを押してお湯張りを開始し、設定されたお湯張り量に達したら自動的にお湯張りが停止される。
【０００４】
しかしながら、特許文献１に記載の自動水栓装置は、壁面に取り付けられるため、あらかじめ壁面に水栓が設置されている浴室に適用する際には、既存の水栓ごと取り換えることになり、労力と時間を要する。また、既設の水栓の種類によっては、別部材を介さなければ取り換えが不可能な場合も考えられる。
【０００５】
そこで、既設の水栓の吐水管部と取り換え可能な給水装置が、特許文献２に開示されている。特許文献２の給水装置は、上記の設定スイッチやお湯張りスイッチ等に相当する複数のスイッチを有するが、吐水管部は水栓本体と比較してスイッチ等を配置できる面積が小さいため、吐水管部と取り換えて設置する給水装置に多数のスイッチを設けるのは限界がある。また、スイッチの数に応じて給水装置自体を大きくすると、場所によっては取り付けられない場合も考えられる。
【０００６】
また、従来、複数のスイッチを設けると、たとえば浴室では、スイッチが見えにくい場合や、手探りでスイッチの操作をする場合があり、使用者が目的のスイッチと違うスイッチを操作して誤作動が発生する虞があった。しかしながら、目標とするお湯張り量の設定は一度行えば頻繁に行うものではなく、通常の操作は吐水および止水である。したがって、設定スイッチは、通常の使用時には触れることが少なく、かえって誤操作を引き起こす虞があった。
【特許文献１】特開２００３−９００７２号公報
【特許文献２】特開２００４−１１６１７５号公報
【発明の開示】
【発明が解決しようとする課題】
【０００７】
そこで、本発明者等は、上記問題点に鑑み、スイッチの数を減少させれば、操作性に優れ小型な定量止水装置となることに想到した。すなわち、本発明は、小型で操作性に優れた新規な定量止水装置を提供することを目的とする。
【課題を解決するための手段】
【０００８】
本発明の定量止水装置は、一端部から供給された水を他端部へ送る水路と該水路を開閉する弁体とを有する送水手段と、該弁体を電気的に開閉して該送水手段の他端部からの吐水または止水（吐水の停止）を制御する制御手段と、該送水手段からの吐水量を計測する計測手段と、該制御手段の作動を入力する操作手段と、を有し、該制御手段は該操作手段からの入力または該計測手段から入力される吐水量に応じて該弁体を開閉して該送水手段からの吐水または止水を制御する定量止水装置において、
前記制御手段は、前記操作手段の特定の一の操作が第一操作であると判定し特定の二の操作が第二操作であると判定する判定手段と、該判定手段が該第一操作と判定すれば前記送水手段からの吐水または止水を制御する弁体制御手段と、該判定手段が該第二操作と判定すれば止水する目標吐水量の設定を行う設定制御手段と、を有することを特徴とする。
【０００９】
なお、「目標吐水量」とは、たとえば浴槽などに張りたいお湯の任意の量であって、吐水を開始してから制御手段により止水されるまでに吐水される吐水量（積算吐水量）である。
【００１０】
本発明の定量止水装置において、前記設定制御手段は、予め記憶された複数の既定値を記憶しそのうちの１つを前記操作手段からの入力により選択して目標吐水量として設定する既定量記憶設定部を有するのが望ましい。また、前記設定制御手段は、前記操作手段からの入力により前記送水手段が吐水を開始してから再度の操作により止水されるまでの吐水量を前記計測手段で計測して得られた値を目標吐水量として記憶する任意量記憶設定部を有してもよい。
【００１１】
そして、前記送水手段は、前記水路の一端部が上水の水と給湯器の温水とを導く混合栓に接続されるのが好ましい。
【発明の効果】
【００１２】
本発明の定量止水装置は、制御手段が、上記判定手段と上記弁体制御手段と上記設定制御手段とを有するため、操作手段に対する操作の違いにより、送水手段からの吐水または止水を制御するか（弁体制御手段）、目標吐水量の設定を行うか（設定制御手段）、という異なる複数の作動を制御手段に入力することができる。その結果、操作手段を簡略化することができ、本発明の定量止水装置を小型化できる。また、上記構成によれば、弁体制御手段の作動を入力する操作手段と設定制御手段の作動を入力する操作手段とを別々に設ける必要がないため、誤って目的とは異なった操作手段を操作してしまうという誤操作を防止することができ、操作性に優れる。
【００１３】
この際、上記既定量記憶設定部により、既定値のうちの１つを操作手段からの入力により選択できるため、操作手段が１つであっても少ない操作で目標吐水量を設定することができ、操作性に優れる。さらに、上記任意量記憶設定部により、使用者の希望に応じた目標吐水量の設定が可能となる。この際、既定量記憶設定部と任意量記憶設定部とを併用することにより、予め記憶された既定値だけでは対応できない範囲の目標吐水量を設定することができる。
【００１４】
そして、操作手段が小型化された本発明の定量止水装置は、水路の一端部を混合栓に接続して用いることができ、取付が簡単な上、意匠性にも優れる。
【発明を実施するための最良の形態】
【００１５】
以下に、本発明の定量止水装置を実施するための最良の形態を、図１を用いて説明する。なお、図１は、本発明の定量止水装置の構成を示すブロック図である。
【００１６】
本発明の定量止水装置は、水路と弁体とを有する送水手段１と、弁体を電気的に開閉して送水手段１からの吐水または止水を制御する制御手段２と、送水手段１からの吐水量を計測する計測手段３と、制御手段２の作動を入力する操作手段４と、を有する。そして、少なくとも送水手段１、制御手段２、計測手段３および操作手段４は、同一のケースに配置されているのが好ましい。
【００１７】
送水手段１は、水路と弁体とを有する。水路は、一端部から供給された水を他端部へ送ることができれば、その形状に限定はないが、その一端部が通常の水栓に接続されるのがよい。たとえば、上水の水と給湯器の温水とを導く混合栓に接続されるのがよい。
【００１８】
また、弁体は、水路を開閉する。弁体は、後述の制御手段２によって開閉される。そのため、電気的に開閉することができる直動型やパイロット式の電磁弁や電動弁であるのが好ましい。電磁弁を用いる場合には、弁体は、電磁弁と、その電磁弁の駆動により開閉される主弁と、からなる構成であるのがよい。さらに、主弁の開閉を機械的に手動で行う手動開閉部を有してもよい。手動開閉部を有することにより、制御手段２によって弁体を開閉できなくなるという問題が生じても、手動開閉部を手動で開閉することにより送水手段１からの吐水と止水を行うことができる。
【００１９】
計測手段３は、送水手段１からの吐水量を計測する。計測手段３としては、たとえば、上記水路に設けられ吐水時の水流により回転する回転部をもち、その回転部の回転数に応じて吐水量を計測する方式を用いることができる。この際、計測手段３は、回転部をもち、その回転数に応じて吐水量を計測するとともに発電を行う発電機であるのが好ましい。吐水時の水流を利用して発電を行うことにより、一般的に電源に用いられているＡＣ電源や乾電池などの代用として、発電した電力を本発明の定量止水装置の電源に利用できる。なお、計測手段３が発電機である場合には、発電機からの出力波形をカウントすることで回転数を検出してもよい。
【００２０】
さらに、計測手段３は、吐水される水の水温を測定する温度測定部を有してもよい。温度測定部は、一般的に用いられる温度センサ等であればよい。
【００２１】
また、本発明の定量止水装置は、さらに、上記発電機により発生した電力を蓄える二次電池手段を有するのが好ましい。二次電池手段は、二次電池やキャパシタであるのがよい。なお、二次電池手段に電気が蓄電されておらず、他の電源を併用していない場合でも、前述の手動開閉部により手動で吐水を行うことができるため、充電が可能である。
【００２２】
操作手段４は、制御手段２の作動を入力する。そのため、操作手段４は、たとえば、押圧されて操作されるスイッチであるのが好ましい。また、操作手段４は、表示部を有するのが好ましい。表示部には、吐水開始からの積算吐水量や後述の目標吐水量の他、上記温度測定部で測定された水温が表示されるとよい。
【００２３】
制御手段２は、上記弁体を電気的に開閉して送水手段１の他端部からの吐水または止水を制御する手段であって、操作手段４からの入力または計測手段３から入力される吐水量に応じて弁体を開閉して送水手段１からの吐水または止水を制御する。そして、制御手段２は、判定手段２１と、弁体制御手段２２と、設定制御手段２３と、を有する。
【００２４】
判定手段２１は、操作手段４の特定の一の操作Ｉが第一操作であると判定し特定の二の操作IIが第二操作であると判定する。特定の一の操作Ｉおよび特定の二の操作IIは、互いに異なる操作であれば、特に限定はない。たとえば、操作手段４がスイッチであれば、スイッチの押圧時間が、所定時間より短ければ第一操作であると判定し、所定時間より長ければ第二操作であると判定するのが望ましい。他にも、所定時間にスイッチが押圧された回数が一回であれば第一操作であると判定し、二回であれば第二操作であると判定してもよい。なお、制御手段２では、操作手段４の特定の三の操作が第三操作であると判定手段２１に判定させてもよく、第一操作や第二操作以外の他の操作を追加してもよい。
【００２５】
弁体制御手段２２は、判定手段２１が第一操作と判定すれば、弁体を開閉させて送水手段１からの吐水または止水を制御する。すなわち、弁体制御手段２１は、判定手段２１において、送水手段１から吐水されていない状態で第一操作と判定すれば吐水を開始し、送水手段１から吐水されている状態で第一操作と判定すれば止水する。また、計測手段３で計測された吐水量が目標吐水量に達した場合にも、弁体制御手段２１により止水させてもよい。
【００２６】
設定制御手段２３は、判定手段２が第二操作と判定すれば、止水する目標吐水量の設定を行う。目標吐水量の設定方法としては、使用者の希望に合わせて操作手段４から任意の数値を入力してもよいが、設定制御手段２３は、予め記憶された複数の既定値を記憶しそのうちの１つを操作手段４からの入力により選択して目標吐水量として設定する既定量記憶設定部を有するのが望ましい。本設定方法によれば、規定量記憶設定部に記憶されている幾つかの既定値から目標吐水量に最適な値を選択するだけであるため、少ない操作で目標吐水量を設定できる。また、数値を入力する必要がないため、数値を入力するためのダイヤル式のスイッチやボタン式の増減スイッチ、テンキー等を、操作手段４から省くことができる。
【００２７】
また、設定制御手段２３は、操作手段４からの入力により送水手段１が吐水を開始してから再度の操作により止水されるまでの吐水量を計測手段３で計測して得られた値を目標吐水量として記憶する任意量記憶設定部を有するのが望ましい。任意量記憶設定部によれば、目標吐水量を設定する際には実際に浴槽などに吐水を行って適当な量に達したら止水すればよいため、たとえ浴槽の容量を知らなくとも目標吐水量を設定することができる。そして、数値を入力する必要がないため、数値を入力するためのダイヤル式のスイッチやボタン式の増減スイッチ、テンキー等を、操作手段４から省くことができる。
【００２８】
本発明の定量止水装置において、制御手段は、既定量記憶設定部および任意量記憶設定部のうちの少なくともいずれか一方を備えればよい。既定量記憶設定部と任意量記憶設定部とを併用すれば、予め記憶された既定値だけでは対応できない範囲の目標吐水量（たとえば、１つ目の既定値と２つ目の既定値との間の値や、最も大きな既定値よりも大きな値）も設定することができる。
【００２９】
本発明の定量止水装置は、制御手段２が判定手段２１、弁体制御手段２２および設定制御手段２３を有するため、操作手段４に対する操作の違いにより、送水手段１からの吐水または止水を制御する、目標吐水量の設定を行う、という異なる複数の作動を制御手段２に入力することができる。その結果、操作手段の構成を簡略化でき、定量止水装置を小型化できる。また、本発明の定量止水装置によれば、弁体制御手段２２の作動を入力する操作手段と設定制御手段２３の作動を入力する操作手段とを別々に設ける必要がないため、誤って目的とは異なった操作手段を操作してしまうという誤操作を防止することができ、操作性に優れる。
【実施例】
【００３０】
以下に、本発明の定量止水装置の実施例を、図１〜図５を用いて説明する。なお、図２は本実施例の定量止水装置の外観を示す斜視図であり、図３は図２のうちの操作手段の平面図である。また、図４は本実施例の定量止水装置の構成を模式的に示す構成図であり、図５は本実施例の定量止水装置の制御手段での処理を示すフローチャートである。
【００３１】
［定量止水装置の構成］
以下に、本実施例の定量止水装置の構成を、図２〜図４を用いて説明する。
【００３２】
本実施例の定量止水装置は、大別すると、送水手段１と、制御手段２と、計測手段３と、操作手段４と、二次電池手段５と、からなり、それぞれ長尺状のケース６（図２参照）に配設されている。
【００３３】
送水手段１は、ケース６とほぼ同軸的に配設された水路１１と、水路１１を開閉する弁体１０と、を有する。水路１１は、両端部が開口しており、一端部は水が供給される供給口１１１、他端部は供給口１１１から供給された水を吐出する吐水口１１２である。供給口１１１は、ケース６の外部へ延出しており、先端部には後述の袋ナット９９と螺合する螺子溝（図示せず）を有する（図２参照）。
【００３４】
弁体１０は、水路１１において供給口１１１と吐水口１１２との間に位置し、主弁１６、電磁弁１７および手動開閉部１８からなる。主弁１６は、ダイアフラムをもち、パイロット弁１７’を有するパイロット式の電磁弁１７により開閉される。電磁弁１７は、制御手段２により電気的に制御（制御に関しては後に詳説する）される。開閉を行う際は、制御手段２からの入力により、電磁弁１７を通電させてパイロット弁１７’に水路１１の流水の一部を導き、その流水の圧力をパイロット弁１７’で制御しつつダイヤフラムに作用させて主弁１６を開閉する。
【００３５】
なお、主弁１６は、制御手段２により開閉される以外にも、手動開閉部１８により機械的に開閉可能である。手動開閉部１８は、その一部がケース６の外部に表出しており（図２参照）、ケース６の外側から手動で回転させることにより、その回転が主弁１６に伝達されて主弁１６が開閉される。また、手動開閉部１８は、パイロット弁として電磁弁と並列に配置された構造でもよい。
【００３６】
計測手段３は、水路１１の吐水口１１２側（すなわち水路１１の下流側）に位置し、送水手段１からの吐水量を計測する吐水量計測部３０と、吐水される水の水温を測定する温度測定部３５と、を有する。
【００３７】
吐水量計測部３０は、発電機３１、水車３２および回転センサ３３からなる。水車３２は、吐水口１１２内に配設され、吐水の際の流水で回転する。この水車３２の回転力は、発電機３１に伝えられて発電が行われる。なお、発電された電力は、制御手段２内に設けられた整流器（図示せず）により直流に変換され、さらに電圧調整された後、電気二重層キャパシタからなる二次電池手段５に蓄えられるように構成されている。
【００３８】
なお、初期状態や長期間使用しなかった場合には、定量止水装置を作動させるだけの電力が二次電池手段５に蓄えられていないことがある。その場合は、前述の手動開閉部１８を回転させて主弁１６を開状態とすれば送水手段１から吐水されるため、発電および蓄電が可能となる。
【００３９】
また、回転センサ３３は、水車３２の回転数を検出して、送水手段１からの吐水量を計測する。回転センサ３３で検出した回転数信号は、制御手段２に出力される。なお、ここで説明する吐水量は、水が送水手段１から吐水される流量［リットル／分］を示すものであって、この吐水量と水車３２の回転数との関係は、回転数に基づいて吐水量が求められるように予め設定されている。したがって、回転数を検出することで吐水量が測定できるようにしてある。なお、回転センサ３３の代わりに、発電機３１の出力波形をカウントすることで回転数の信号としてもよい。
【００４０】
温度測定部３５は、水車３２よりも上流側に設けられた水温センサからなり、水路１１を通過し吐水される流水の温度を計測する。なお、測定した水温は、後述の表示部４２に表示される。
【００４１】
操作手段４は、ケース６の上面部に位置し、使用者が意図する制御手段２の作動を入力するスイッチ４１と、２桁の数値が表示可能な表示部４２と、を有する（図２および図３参照）。操作手段４は、制御手段２と電気的に接続されており、スイッチ４１の押圧を電気信号に変換して制御手段２に入力し、制御手段２を作動させる。また、表示部４２には、必要に応じて、上記温度測定部３５で測定された水温（湯温）や、後述する設定量がデジタル表示される。
【００４２】
なお、本実施例の定量止水装置は、たとえば、図６に示すような浴室などに設置されている混合栓９の吐水管部９２と交換することにより使用できる。混合栓本体９１と吐水管部９２とは、通常、袋ナット９９（図６には図示せず）により連結されている。そのため、袋ナット９９をゆるめて吐水管部９２を取りはずした後、本実施例の定量止水装置の供給口１１１と混合栓本体９１とを袋ナット９９で螺合させて連結することにより、混合栓９に本実施例の定量止水装置を容易に取り付けることができる。
【００４３】
［定量止水装置の作動］
以下に、本実施例の定量止水装置の作動について、制御手段２に設けられた制御処理を、図１のブロック図および図５のフローチャートに沿って説明する。なお、以下の説明において、定量止水装置は、混合栓本体９１に連結され、二次電池手段５には十分な電力が充電されており、電力の供給を受けて作動できる状態にあるものとする。
【００４４】
使用者によりスイッチ４１が押圧されると、制御手段２の判定手段２１において、スイッチの押圧時間が３秒以上であるか否かを判定し、３秒未満であれば弁体制御手段２２が作動されて湯張りモード（ステップ２２０）が実行され、３秒以上であれば設定制御手段２３が作動されて設定モード（ステップ２３０）が実行される（ステップ２１０）。以下に、湯張りモードと設定モードをそれぞれ説明する。
【００４５】
［湯張りモード］
湯張りモードでは、弁体制御手段２２の作動により、弁体１０を開閉して送水手段１からの吐水および吐水の停止を行う。
【００４６】
湯張りモード（ステップ２２０）が実行されると、弁体１０が開いて水路１１は開状態となり、混合栓本体９１から供給された混合水（湯）の吐水が開始される（ステップ２２１）。吐水が開始されると、温度測定部３５において測定された湯温が制御手段２に入力され、制御手段２からの出力により表示部４２に表示される（ステップ２２２）。
【００４７】
その後、ステップ２２３において、スイッチ４１の押圧の有無が判定され、スイッチが押圧されれば弁体１０が閉じられて吐水は停止（止水；ステップ２２５）され、スイッチが押圧されなければ吐水量が設定量に達したか否かが判定（ステップ２２４）される。なお、設定量とは、次の欄で説明する［設定モード］で設定される目標吐水量のことである。そして、ステップ２２４において、吐水量が設定量に達すれば止水（ステップ２２５）され、設定量に達していない場合は設定量に達するまでステップ２２１〜２２３が繰り返される。
【００４８】
［設定モード］
設定モード２３０では、設定制御手段２３の作動により、上記湯張りモードにおいて自動的に止水が行われる目標吐水量の設定が行われる。そして、設定制御手段２３は、既定量記憶設定部と任意量記憶設定部とを有する。
【００４９】
設定モード（ステップ２３０）が実行されると、定量止水装置の使用が初めての場合は初期設定量である「２０」（約２００リットルの吐水量を示す）が表示部４２に表示され、前回設定した場合は前回の設定量が表示される（ステップ２３１）。
【００５０】
そして、ステップ２５０では、スイッチ４１が押圧されたか否かが判定される。既定量記憶設定部には、「１０」（約１００リットルの吐水量に相当）、「２０」（約２００リットルの吐水量に相当）、「３０」（約３００リットルの吐水量に相当）、「４０」（約４００リットルの吐水量に相当）、「９９」（任意量記憶設定部に記憶される任意の量に相当）が既定値として予め記憶されており、スイッチ４１が押圧されると、表示されている設定量が「２０」から「３０」にかわり、スイッチ４１を次々と押す毎に「２０→３０→４０→９９→１０→２０→３０→４０→９９→１０→…」と表示される（ステップ２５０〜２５１）。使用者は、所望の吐出量が表示されるまでスイッチ４１を押圧すればよい。ただし、スイッチ４１を押してから５秒以上経過すると、最後に表示されていた既定値を目標吐水量として選択したことが既定量記憶設定部に記憶され、これを設定量として設定は完了される（ステップ２５２〜２５４）。
【００５１】
ここで、最後に「９９」と表示されていた場合には、上記の１００、２００、３００、４００リットルの既定値は適用されず、使用者が実際に吐水を行って設定量を決定することができる。ステップ２５３において、「９９」表示が確認されると、スイッチ４１が押圧が３秒以上であるか否かが判定される（ステップ２６０）。スイッチ４１の押圧が３秒以上であれば、再び設定モード２３０が実行される。スイッチ４１の押圧が３秒未満であれば、吐水が開始される（ステップ２６１）。吐水が開始されると、温度測定部３５において測定された湯温が制御手段２に入力され、制御手段２からの出力により表示部４２に表示される（ステップ２６２）。
【００５２】
その後、ステップ２６３において、スイッチ４１の押圧の有無が判定され、スイッチが押圧されれば、吐水量測定部３０で計測された吐水開始から止水までの積算吐水量が設定制御手段２３の任意量記憶設定部に入力されて記憶され（ステップ２６４）、その後止水され（ステップ２６５）、任意量記憶設定部に記憶された積算吐水量が設定量として設定される（ステップ２６６）。ステップ２６３において、スイッチが押圧されなければ、ステップ２６１〜２６３が繰り返される。
【００５３】
すなわち、使用者は、本実施例の定量止水装置を浴室の混合栓本体９１に接続した場合には、はじめに、スイッチ４１を３秒以上押圧（長押し）して目標吐水量を設定すればよい。仮に、浴槽に４００リットルのお湯を張りたいのであれば、スイッチ４１を長押しすることによりにより設定モードを実行させて、表示部４２に「２０」を表示させた状態でスイッチを連続的に２回押して、表示部４２に「４０」を表示させる。そのまま５秒以上放置すれば、４００リットルが設定値として設定される。また、浴槽の容量がわからなかったり適当な既定値がなければ、上記と同様の手順で表示部４２に「９９」を表示させて５秒以上放置した後、スイッチを３秒未満押圧（短押し；通常のスイッチの押し方）して吐水を開始する。そして、浴槽のお湯の量が使用者の所望の量に達したら、スイッチを短押しして吐水を停止する。吐水の開始から止水までの積算吐水量は任意量記憶設定部に記憶され、その量が設定値として設定される。
【００５４】
設定後、浴槽にお湯を張る場合は、スイッチを短押しして吐水を開始させ、積算吐水量が設定値に達したら自動的に止水される。途中で吐水を止めたい場合には、吐水中にスイッチを短押しすればよい。また、さし湯をしたい場合は、スイッチを短押しして吐水を開始させ、再びスイッチを短押しして止水すればよい。
【００５５】
本実施例の定量止水装置は、１つのスイッチ４１で湯張りモードと設定モードとをそれぞれ操作できるため、操作手段４が簡略化されて小型化でき、意匠性にも優れる。また、スイッチ４１に対して特別な操作（長押し）をした場合にのみ設定モードがはたらくため、目標吐水量を設定してしまえば、その後の通常の使用時には、スイッチ４１を短押しするだけで吐水および止水を行うことができる。また、スイッチ４１の他にスイッチはないため、他のスイッチに触れてしまうことによる誤操作もない。
【図面の簡単な説明】
【００５６】
【図１】本発明の定量止水装置の構成を示すブロック図である。
【図２】実施例の定量止水装置の外観を示す斜視図である。
【図３】実施例の定量止水装置の操作手段の構成を示す平面図である。
【図４】実施例の定量止水装置の構成を模式的に示す構成図である。
【図５】実施例の定量止水装置の制御手段での処理を示すフローチャートである。
【図６】一般的な水栓の一例であるサーモスタット混合栓の外観を示す斜視図である。
【符号の説明】
【００５７】
１：送水手段
１０：弁体
１１：水路
２：制御手段
２１：判定手段
２２：弁体制御手段
２３：設定制御手段
３：計測手段
３０：吐水量計測部
３５：温度測定部
４：操作手段
４１：スイッチ
４２：表示部
５：二次電池手段
【図１】
2006097415.tif 000003
【図２】
2006097415.tif 000004
【図３】
2006097415.tif 000005
【図４】
2006097415.tif 000006
【図５】
2006097415.tif 000007
【図６】
2006097415.tif 000008